(57)【要約】【課題】ハタハタやアジのさびき釣りで一度に数匹釣り上げる時や、ホッケ、タイなどの尺物を釣り上げる時、竿尻を腹部で受け止める光景が多々あり、その腹部にかかる負担や痛みを軽減し、尚且つ、竿尻の軸を安定させて釣り上げを容易にする、釣竿尻受け腹当て器具を提供する。【課題を解決するための手段】竿尻を腹部で受け止める時、その腹部にかかる負担や痛みを軽減する為に、図１の半凸状の腹当て器具２を使用する。腹当て器具２上には釣竿尻受けホルダー１があって、釣竿Ｒを左右に動かせる図３の横の切り込み１ｂと、上下に釣竿Ｒを動かせる上部切り込み１ａがある。更に、左右に回転することによって釣竿Ｒを操作しやすい。また、魚の種類や釣行状況によって腹部に受ける力の分散具合が調整できるように、釣竿尻受けホルダー１を図９〜図１１のように移動する。【選択図】    図１
2006314290.tif 000002
【特許請求の範囲】
【請求項１】
移動用の穴を設けた腹当て器具２と、釣竿Ｒが左右動および上下動できる切り込みを有する釣竿尻受けホルダー１からなり、釣竿尻受けホルダー１自体が左右に回転し、且つ、上下移動することを特徴とする釣竿尻受け腹当て器具。
【請求項２】
請求項１の釣竿尻受け腹当て器具において、釣竿受けホルダー１が腹当て器具２に設けたスリット７の長さ範囲内で上下動することを特徴とする器具。
【発明の詳細な説明】
【技術分野】
【０００１】
本発明は魚を釣り上げる際、釣竿Ｒの竿尻が腹部に当たり痛みが発生するのを軽減する腹当て器具２と、釣竿尻受けホルダー１には切り込みがあって、左右に回転して釣り上げを容易にし、取り付け位置を移動して腹部に受ける力の当たり具合を調整できる器具に関するものである。
【背景技術】
【０００２】
従来は、釣竿Ｒの竿尻部の改良や(特許文献１参照)、竿尻をベルトで受けるベルト式(特許文献２参照)。また、ベルトと筒状で釣竿Ｒを受ける器がある(特許文献３と４と５参照)。
【特許文献１】特開２００１−５７８３０
【特許文献２】登録実用新案第３１００７５７号
【特許文献３】特開２００２−２６２７４８
【特許文献４】特開２０００−８３５４９
【特許文献５】実開昭５７−１８９３８４
【発明の開示】
【発明が解決しようとする課題】
【０００３】
これは次のような問題点があった。
イ、釣竿尻を改良しても、腹部の一部を集中的に刺激してしまうことが多く、痛みの軽減効果は不十分だった。また、衣類や救命胴衣を傷めることもある。
ロ、ベルト事態に竿尻を当てるベルト式は、風の強い時や船が揺れると竿尻が安定せず、特に釣竿Ｒに角度を付けて押し当てた場合、竿尻軸がずれることもあった。
ハ、従来の筒状は、大物を釣り上げるのが主な目的で一般的ではなかった。
泳ぎ回る魚が釣竿Ｒを左右に持って行く時、動かす範囲が限られている為、釣竿Ｒが筒の内壁に当たった際、その衝撃で魚が針から外れたり、ハリス切れを起こしたりすることもある。
【０００４】
また、補助バンドで肩から吊すのもあるが、軽量でなく長時間の釣りには向いていなかった。本発明は、こうした従来の問題を解決しようとするものである。
【課題を解決するための手段】
【０００５】
本発明はこのような背景を認識して考案されたもので、図１４のように肩もしくは首からヒモ３で吊り下げて使用するだけの簡単でしかも軽い器具である。
【０００６】
請求項１の特徴によれば、竿尻が腹部に当たる力を分散し痛みを軽減させるのに半凸状の腹当て器具２を使用する。これは板のような平らな面で力を受けるより、半凸状の方が力の分散率が高い。腹当て器具２によって竿尻が腹部に当たる力を分散し痛みが軽減され、釣竿尻受けホルダー１が釣り上げを容易にし、しかも軽い器具の為子供や女性にも向いていて一般的である。
【０００７】
釣竿尻受けホルダー１には図１から釣竿Ｒを左右に動かせる横の切り込み１ｂと、上下に釣竿Ｒを動かせる上部切り込み１ａがある。さびき釣りで数匹ヒットした場合、それぞれが海中で勝手な方向に泳ぎ回る為、釣竿Ｒを魚の動きに合わせないと針から外れることがある。その為、釣竿Ｒを大きく振り回しながらすばやく対処する必要がある。その時、横に切り込み１ｂがあると、片手のみでも釣竿Ｒを左右方向に広範囲に振ることができる。横および上部の切り込み形状は、図３〜図５のように釣竿Ｒの太さに関連して切り込んであり、竿尻部を釣竿尻受けホルダー１の底部に押し付けて上部切り込みに当てた時、その２箇所が支えとなって本発明と一体となり安定する。
【０００８】
更に、図１２のように左右自由に回転することによって釣竿Ｒを左右に振った時や、切り込みの淵に釣竿Ｒが当たった時、魚との細かい微妙なやり取りにも対応できて操作しやすい。また、釣り上げた時の振動が腕から本発明を介して身体全体に敏感に伝わる為、魚のサイズや数も推測できる。
【０００９】
次に、釣竿尻受けホルダー１の交換方法を説明する。
釣竿尻受けホルダー１には図３〜図５の切り込みの形状パターンがあり、魚の種類や釣行状況にあわせて交換する。図３−１の上部の切り込み１ａは、釣竿尻受けホルダー１の長さの半分より深く切り込んだ図である。図４−１は半分に切り込んだ図である。図５−１は半分より浅く切り込んだ図である。これらはいずれも、釣竿Ｒの遊動性と安定性の範囲を選択して交換できるようにしたもので、上部切り込み１ａが深いと釣竿Ｒを振り回す範囲が広く動き回る魚に適し、切り込み１ａが浅いと釣竿尻受けホルダー１の底面および内壁に密着して釣り上げる為、小物釣りやおとなしい魚に適している。
【００１０】
次に、釣竿尻受けホルダー１の移動方法を説明する。
腹当て器具２には釣竿尻受けホルダー１が移動できる３箇所の穴があり、必要に応じて図９〜図１１のように移動し固定する。最上位のビス２ａとナット２ａｂはステー６を固定している。
通常使用する時は、図９から腹当て器具２の中央に固定し、図６のように釣竿Ｒが釣竿尻受けホルダー１内に平行にスッポリ収まった状態で使用したり、少し角度を付けながら底面に竿尻を押し当てたりして使用するが、図７のように釣竿Ｒの竿先を上げ、大きな角度を付けて竿尻を底面と内壁に強く押し付けて釣り上げる場合、その力が下側に集中し下腹部に負担を受ける。すなわち、図８のように腹当て器具２の中心より上へ移動すると、竿尻から受ける力は下側から上方へと移行し、下腹部に受ける負担が中腹部へと移行して力が分散される。
【００１１】
つまり、竿尻を釣竿尻受けホルダー１の底部に押し付けて、竿尻軸を安定させながら力の分散具合が平均的になるような位置に移動できるので、釣り人Ｍが腹部への痛みを軽減する最適と思われる箇所を選択できるように、腹当て器具２に３箇所もの穴を設けたもので、ビス４とナット５を外して図１０もしくは図１１に釣竿尻受けホルダー１を移動し固定する。移動作業を円滑に行えるようにナット５をチョウネジにすると楽である。
【００１２】
図６は通常使用している状態の断面図である。釣竿尻受けホルダー１に取り付けるビス４のネジ山は、ナット５で締め付ける部分にあるが、釣竿尻受けホルダー１と腹当て器具２とステー６にはなく遊動する。
その為、釣竿尻受けホルダー１とビス４とナット５は一体となって、腹当て器具上を図１２のように左右に回転し、魚との微妙なやり取りにも対応できる。しかも、竿尻と腹部全体が本発明を介して一体となる為、船が揺れても風の強い日でも釣竿Ｒのバランスと安定性が確保される。
【００１３】
上述のように、例えば船上でのさびき釣りで、釣竿Ｒを上下に振ってイワシやソイを誘う時、あるいは、一度に数匹釣り上げた時の動き回るアジとのやり取り、また、思いがけないサイズのスズキやイナダなどがヒットしたような場合の急激な引きに対しても、釣竿尻受けホルダー１の横と上部の切り込みによって広範囲に受け止められ、更に、釣竿Ｒの動きに合わせて左右に回転するので操作しやすく、竿尻軸を安定させながら釣竿Ｒを自由に振り回して対応することができる。
【００１４】
また、本発明は小型の電動リールにも有効で、魚がヒットするしないにかかわらずリールで巻き上げる際、安心して竿尻を腹部に当てて、竿軸を安定させながら容易に巻き上げられる
【００１５】
次に請求項２について説明する。
請求項２の特徴によれば、腹当て器具２には図１５に示すスリット７があり、釣竿尻受けホルダー１が上下にスライドする。これは、決められた固定穴、２ｂ、２ｃ、２ｄはなく、上下にスライドすることによって任意の箇所を選択できる為、その時の釣行状況によって、微調整しながら最適な箇所に固定できる。スライドさせるだけなので簡単で、最適箇所が決まったらビス４とナット５で固定する。
【００１６】
以上のような本発明に補足をするとするならば、ヒモ３を幅の広いバンドにするか、あるいは途中に伸縮性のあるゴムを設けると釣り上げ時の肩や首への負担は更に軽くなる。
また、竿尻や竿自体を傷めない為に釣竿尻受けホルダー１の底にクッションを敷き、淵の周りにはクッションやゴム性のものを巻いてもよいが入り口が狭くなる為、その場合一回り大きい釣竿尻受けホルダーを使用してもよい。磯竿の場合、竿尻の細いのが多い為、逆に一回り小さいのを使用してもよい。腹当て器具２の淵の周りにもゴム性のものを巻く等すると、衣服上ですべりづらくなる。
【発明の効果】
【００１７】
本発明で最も効果があると思われるのは、魚を釣り上げる時はもちろんの事、例えば、船釣りで海底近くにいるタイなどを狙っている時、針やオモリが藻や岩等に引っかかって根がかりを起こす時がある。その際、釣竿Ｒを上下左右にあおり、リールで道糸を送ったり巻いたり何度も繰り返して外そうとする。しかし、腹部への痛みや疲れから外れない理由で仕掛けを無理やり切ることにより海底に放置することになる為、環境に影響を与えかねない。その時、本発明が発揮され、竿尻から受ける力を分散して釣り人Ｍの腹部を守り、釣竿尻受けホルダー１が回転するので釣竿を左右に振り回しやすく、更に竿尻が本発明を介して腹部に当てながら片手でも楽に操作できるので、根がかりや長時間の魚との格闘でも、釣り上げにかかる腕への力の負担を軽くし、また、長時間の釣行でも軽い器具の為疲れず、ひいては釣り人Ｍへの疲労軽減を図ることができるものである。
【発明を実施するための最良の形態】
【００１８】
次に、この発明を実施するための最良の形態を説明する。この発明によれば、図６から竿尻を釣竿尻受けホルダー１の底面に押し付けると、釣竿尻受けホルダー１を介して腹当て器具２が力を分散して痛みを軽減することに実現した。
【実施例１】
【００１９】
腹当て器具２を真横から見ると図７で腹を包み込むような半凸状の半円形、または半楕円形、半四角形で、両側には耳２ｇのような突起があり、ヒモ３を付けて肩掛け、あるいは携帯電話を首から吊り下げる感覚で使用する。右手でリールを巻く釣り人Ｍの場合、ヒモ３を右肩よりタスキのように肩掛けし、釣り人Ｍのヘソ上附近にくるように吊り下げるのが最も使いやすいと思われる。軽い為、長時間吊り下げても気にならない。また、風が強い時は腹当て器具２の耳２ｇにある２ｄの穴にヒモを通して腰に巻き安定させる。
【００２０】
釣竿尻受けホルダー１は脱着可能でナット５を外して行う。魚の種類や釣行状況に合わせて図３〜図５の切り込み形状の別パターンと交換する。例えば船が揺れる時、あるいはアジやイワシなどで釣竿Ｒを大きく振り回しすばやく対処したい時は切り込みの大きい図３を使用し、釣竿尻受けホルダー１の底面に釣竿Ｒを密着するように当てると軸が安定し釣竿Ｒを楽に操れる。動きが遅い手の平サイズの小物や凪ぎの状態だと、上部切り込みの小さい図５を使用し、釣り上げの時は上部切り込み１ａに釣竿をあてがうようにすると、竿尻部と上部切り込み部がお互い支えとなって操作しやすくなる。
【００２１】
釣竿尻受けホルダー１は、腹部に受ける力の負担具合を調整できるように場所の移動ができる。具体的には図７に於いて、釣竿Ｒが上から角度をもって下方の底部や内壁を押し当て、あるいは、釣竿Ｒの穂先を大きく上方へ持ち上げることが多い場合、腹当て器具２の下側に力が集中する。その為、釣竿尻受けホルダー１を図８のように上部の場所に移動し固定すると、竿尻から受ける力の方向も上方へと移動する。
つまり、図９で説明すると、ビス４とナット５が穴２ｄに取り付いている状態から、腹当て器具２の中心より上へ移動させ、ビス４とナット５を穴２ｂに取り付けると図１１の状態になり同じように釣竿Ｒを押し付けると、竿尻から受ける力は図８の矢印で示すように上方へと移動する。
【００２２】
釣竿Ｒの角度は状況によって変化するものなので、魚の種類やその時の釣行状況によって受ける竿尻からの力が、何回か同じ動作を繰り返すことによって感覚をつかみ、平均的に腹部で分散される箇所を見つけて固定するのが望ましい。
また、尺物クラスのホッケやシンジョーなどの重い魚の場合、竿尻が釣竿尻受けホルダー１の底面より下側の内壁に押し付ける場合もある。そのような時は腹当て器具２の最上位に移動するか、あるいは縦に長い図１３の半四角長形の腹当て器具に交換することが望ましい。これは、腹当て器具が大きければ大きいほど、あるいは、釣竿尻受けホルダー１の位置から腹当て器具の下方部が長いほど、重い魚を釣り上げる場合に有効である。
【実施例２】
【００２３】
図１５で、腹当て器具２に設けられたスリット７を釣竿尻受けホルダー１が上下にスライドする。釣り人Ｍ達の異なる腹部の形、救命胴衣を着用した時や、立って釣る時、座って釣る時、あるいは船の揺れによって、腹部に受ける力の当たり具合が微妙に変化する場合がある。その為、釣竿尻受けホルダー１の位置をスライドさせて微調整しながら最適な箇所を見つけ、ビス４とナット５で固定できるようにしたものである。通常は腹当て器具２の中心部に設けられたスリットの最下位部に固定し回転もして使用するが、上部に移動して固定する場合は強く締め付けるのが好ましい為回転はしない。
【実施例３】
【００２４】
次に図１６について説明する。
釣竿Ｒを釣竿尻受けホルダー１に角度を付けて竿尻を下方に押し当てた時、その受ける力は下側へ集中しようとする。その時、釣竿尻受けホルダー１は腹当て器具２に固定されていないので下へスライドするが、ワイヤー９がビス２ａを介して腹当て器具２に固定されているバネ８を引っ張るため、今度は腹当て器具２を上方へ引っ張る。
つまり、釣竿尻受けホルダー１は下方向へ、腹当て器具２は上方向へ引っ張られる為、お互い釣り合いを取ろうとし、腹当て器具２の下側に集まる力を回避できる。
調整は、チョウネジ１４を腹当て器具２とステー１５の各穴に設けられた箇所に固定する。釣竿尻受けホルダー１はスリット７の範囲内でワイヤ−９を介してバネ８の弾力で遊動し、腹部に受ける力の当たり具合を調整する。且つ、釣竿尻受けホルダー１自身も回転する。また、急激に竿尻を下方に押し付ける場合があってもバネ８によって衝撃が緩和される。
【００２５】
腹当て器具２の材質は、塩ビか食品容器に使われているプラスチックのフタやお皿のようなもので、釣竿尻受けホルダー１は、塩ビの継ぎ手キャップを使用し、全体的に軽くてしかも比較的安価で提供することができる。
【図面の簡単な説明】
【００２６】
【図１】本発明の見取り図
【図２】本発明の展開図
【図３】釣竿の左右動上下動および釣竿尻受けホルダー上部の深い切り込み
【図４】釣竿尻受けホルダー上部の半分切り込み
【図５】釣竿尻受けホルダー上部の浅い切り込み
【図６】釣竿尻受けホルダー取り付け断面図
【図７】釣竿に大きく角度を付けた状態
【図８】釣竿尻受けホルダーを移動してから釣竿に大きく角度を付けた状態
【図９】釣竿尻受けホルダーを腹当て器具の中心にビス止めした状態
【図１０】釣竿尻受けホルダーを腹当て器具の中心より１つ上にビス止めした状態
【図１１】釣竿尻受けホルダーを腹当て器具の中心より２つ上にビス止めした状態
【図１２】釣竿尻受けホルダーの回転
【図１３】半四角長形の腹当て器具
【図１４】本発明の船での使用状態図
【図１５】スリットの入った腹当て器具
【図１６】釣竿尻受けホルダーがバネによって遊動する図
【符号の説明】
【００２７】
１      釣竿尻受けホルダー
１ａ    釣竿尻受けホルダーの上部切り込み
１ｂ    釣竿尻受けホルダーの横左右の切り込み
２      腹当て器具
２ａ    ビス 
２ａａ  穴
２ａｂ  ナット 
２ｂ    穴
２ｃ    穴
２ｄ    穴
２ｅ    上ヒモ穴
２ｆ      耳
２ｇ    下ヒモ穴
３      ヒモ
４      ビス
５      ナット
６      ステー
７      スリット
８      バネ
９      ワイヤー
１０    ビス
１１    ナット
１２    ビス
１３    ナット
１４    チョウネジ
１５    ステー
R      釣竿
Ｍ      釣り人
【図１】
2006314290.tif 000003
【図２】
2006314290.tif 000004
【図３】
2006314290.tif 000005
【図４】
2006314290.tif 000006
【図５】
2006314290.tif 000007
【図６】
2006314290.tif 000008
【図７】
2006314290.tif 000009
【図８】
2006314290.tif 000010
【図９】
2006314290.tif 000011
【図１０】
2006314290.tif 000012
【図１１】
2006314290.tif 000013
【図１２】
2006314290.tif 000014
【図１３】
2006314290.tif 000015
【図１４】
2006314290.tif 000016
【図１５】
2006314290.tif 000017
【図１６】
2006314290.tif 000018